(57)【要約】      （修正有）【課題】ピックアップの交換に当って、張設されている弦を全く外す必要がない電子弦楽器を提案する。【解決手段】エレキギター等の電子弦楽器のボデーを弦調節個所より若干離れた位置で弦と平行するように２分割して互いにボデー裏面で蝶着すると共にボデー表面に締め金具を設けて開閉自在に構成し、弦張設側のボデーには上記分割した端面から弦張設方向と直交するように弦張設個所に向けて上面を開口した凹陥部を形成し、該凹陥部の上縁内周部にはピックアップを取付けたスライドプレートと密に摺動自在に嵌合する案内溝が設けられ、スライドプレートの前端部下面にはピックアップから引出された配線を止着した導電板が設けられ、前期凹陥部内周の案内溝のうち凹陥部奥端の案内溝内には上記導電板と接触可能な最終的にアンプに電気的に接続される接続端子が設けられてなることを特徴とする。【選択図】  図２
2004163717.tif 000002
【特許請求の範囲】
【請求項１】
エレキギター等の電子弦楽器のボデーを弦調節個所より若干離れた位置で弦と平行するように２分割して互いにボデー裏面で蝶着すると共にボデー表面に締め金具を設けて開閉自在に構成し、弦張設側のボデーには上記分割した端面から弦張設方向と直交するように弦張設個所に向けて上面を開口した凹陥部を形成し、該凹陥部の上縁内周部にはピックアップを取付けたスライドプレートと密に摺動自在に嵌合する案内溝が設けられ、該案内溝には上記スライドプレートとの嵌合によりピックアップからの配線と接触可能な接続端子が設けられてなることを特徴とするピックアップ交換の容易な電子弦楽器。
【請求項２】
前記スライドプレートの前端部下面にはピックアップから引出された配線を止着した導電板が設けられ、前記凹陥部内周の案内溝のうち凹陥部奥端の案内溝内には上記導電板と圧接可能な接続端子が設けられてなる請求項１記載のピックアップ交換の容易な電子弦楽器。
【請求項３】
前記接続端子は最終的にアンプに電気的に接続される請求項２記載のピックアップ交換の容易な電子弦楽器。
【発明の詳細な説明】
【０００１】
【発明の属する技術分野】
本発明は、エレキギターに代表される電子弦楽器のボデーに取付けられるピックアップを簡単容易に交換できるようにした電子弦楽器に関するものである。
【０００２】
【従来の技術】
ピックアップは弦の振動を拾って電気信号変換するもので、エレキギターやエレキベース、電子バイオリン等の電子弦楽器の音色を決定する重要な部品である。このピックアップは、磁石にコイルを巻いたもので、アンプ（増幅器）に接続されて弦振動に対応した誘導電流が増幅され、これがスピーカから大きな音となって出て来る。
【０００３】
ピックアップは弦とボデーの間にあり、その配線はハンダ付けによっているため、従来音色を変えるためにピックアップを他のものと交換する場合には、まず全ての弦を取り外してから、ボデーへのネジ止め個所のネジを外し、アンプへ至る接続配線個所のハンダ付け部分を外して、古いピックアップを取出し、新しいピックアップを上記と逆の順序で取付けて行く。
このように、従来ピックアップの交換には非常に手間と時間がかかり、専門の技術が必要であった。
【０００４】
【発明が解決しようとする課題】
本発明は、ピックアップの交換に当って、張設されている弦を全く外す必要がなく、しかもピックアップ部分をユニットとして、これをエレキギター等のボデーに簡単に装着するだけで、アンプに至る端子と接触することにより配線が終了し、ハンダ付け等の作業を全く不要とした、ピックアップ交換の極めて容易なエレキギター等の電子弦楽器を提案するものである。
【０００５】
【課題を解決するための手段】
本発明では、まずエレキギター等のボデーの弦張設個所より若干離れた位置でボデーを弦と平行する方向に２分割し、この縦方向に二つ割りされたボデーをその裏面側で互いに蝶着しておき、ボデー表側にはバックル等の締め金具を取付けて、ギター使用時は２分割のボデーを互いに突合状態で固定できるようにしておく。
【０００６】
そして、弦が張設される側のボデー部分には、上記分割した端面から弦張設方向と直交するようにピックアップを収容するための所定長さと深さの凹陥部を形成し、該凹陥部の上縁部には全周にわたって案内溝を凹設し、凹陥部の奥端上縁部の案内溝内には先端部が下方へ折曲されて凹陥部奥端面に固定された薄い舌状の接続端子が複数個取付けられている。この接続端子がアンプに至る配線に接続されている。
【０００７】
一方、ピックアップはスライドプレートに固定されている。このスライドプレートの左右両側縁は上記ボデー凹陥部上縁の上記左右案内溝内に密に摺動自在に嵌合するよう構成され、該プレートの前側下面には前記接続端子に相応した数の銅片等の導電板が貼着され、ピックアップから引出された配線がこの導電板に接続されており、このようにして一つのピックアップユニットが構成されている。
【０００８】
これにより、開いたボデーの凹陥部上縁の左右案内溝に新たなピックアップユニットのスライドプレートを差込み、奥端までスライドさせて行けば、該プレート下面の導電板が凹陥部奥端上縁の案内溝内の接続端子と接触して接続が完了する。以下、本発明の実施形態を図により更に詳細に説明する。
【０００９】
【発明の実施の形態】
図１〜２は本発明を適用したエレキギターを示すもので、１はボデーで、該ボデー１は６本の金属弦２の張設個所より若干離れた個所で弦２と平行するようにして完全に２分割され、この縦方向に切り離されたボデー１ａ、１ｂは互いにその背面側で蝶番３により蝶着され、一方のボデー１ｂは他方のボデー１ａに対して突合状態からほぼ１８０°旋回可能となっている。４は分割ボデー１ａ、１ｂの表側突合部近傍に取付けられたフック４ａと締具４ｂとからなるバックル等の締め金具で、ギター使用時はこの締め金具４により両ボデー１ａ、１ｂを互いに突合状態に固定される（図５参照）。
【００１０】
５はボデー１上に張設された弦２の直下に弦２と直交するように設けられるギターの音色を決定するためのピックアップであり、このピックアップ５は図では２個１組として弦張設方向の前後２個所に合計４個設置するようになっているタイプを示しているが、ピックアップ５が１個のみの場合や前後に１個づつ（合計２個）装着する場合等もある。
【００１１】
このピックアップ５は硬質樹脂製の方形のスライドプレート６の大きな中央開口部に取付けられ、ピックアップ５から引出された配線は該プレート６下面前端部に間隔を置いて貼着された２又は３枚の銅片等の薄い導電板７にハンダ付け又はネジ止めにより電気的に接続されて、一つのピックアップユニット１４を構成している（図３参照）。
【００１２】
８はピックアップユニット１４をボデーに装着するために弦張設側のボデー１ａの分割側端面から弦張設方向と直交するように直方形状に開設した凹陥部で、該凹陥部８はその開口する上面が上記スライドプレート６の大きさよりやや小さく、弦２張設位置より若干通過した位置までの長さを有し、上記ピックアップユニットを装着するに充分な深さを有している。
【００１３】
該凹陥部８の上縁部内側には全周（即ち分割側端面を除く３辺）にわたり案内溝９（９ａ、９ｂ、９ｃ）が凹設され、その左右の案内溝９ａ、９ｂは上記スライドプレート６の左右両側縁と嵌合して密に摺動可能に構成され、また奥端の案内溝（嵌合溝）９ｃは該プレート６の先端縁と嵌合するようになっている（図２参照）。
【００１４】
なお、この凹陥部８は実施例図では上記ピックアップユニット１４を２個所装着する場合を示しているので、弦２直下の前後所定位置に２個所設けられているが、ピックアップユニット１４装着数に応じて１個所あるいは３個所設ける場合もある。
【００１５】
また、凹陥部８上縁部の上記案内溝９は例えば木製ボデー本体に凹陥部８を形成する際にその上縁部全周に段部を形成しておき、ボデー本体表面に張着する金属板や樹脂板等の化粧板１５により上記段部を上から覆うように凹陥部８上面と同大の開口を形成しておくことにより構成することができる（図４参照）。
【００１６】
凹陥部８奥端上縁の案内溝９ｃ内には、先端部が下方へ折曲されて凹陥部８奥端部にネジ止めされた薄い舌状の接続端子が設けられ、該接続端子１０は前記スライドプレート６前端裏面の導電板７に対応して複数間隔を置いて取付けられ、スライドプレート６先端縁が該凹陥部８奥端の案内溝９ｃに嵌合したときに対応する上記導電板７と上下で圧接して電気的に接続するようになっている。なお、各接続端子１０はボデー１ａ内の配線を介して、最終的には外部のアンプに電気的に接続されることになる（図示せず）。
【００１７】
１１はピックアップ選択切替用スイッチ、１２は音量調整用つまみ、１３は外部アンプからのプラグと接続するためのジャックである。
【００１８】
しかして、ピックアップ５を交換する場合には、スライドプレート６を含む前記したピックアップユニット１４全体を交換するものとし、このようなユニット１４を多種類準備しておく。そして、まず締め金具４を外してボデー１を開き、交換されるべきユニット（図中の一方又は両方のユニット）はそのスライドプレート６を凹陥部８の左右案内溝９ａ、９ｂ内でスライドさせながら抜き出す。
【００１９】
次に、新たなピックアップユニット１４を上記とは逆にスライドプレート６左右両側縁を分割されたボデー１ａ端面側から左右案内溝９ａ、９ｂ内に挿入し、そのまま奥端までスライドさせて行って、スライドプレート６前端縁を凹陥部８奥端上縁の案内溝９ｃ内に嵌合当接させる（図４参照）。
【００２０】
そして、最後に開いていたボデー１ａ、１ｂを閉め、再び締め金具４でボデー１を開かないように固定する（図５参照）。
【００２１】
これにより、新たに交換されたピックアップユニット１４のピックアップ５の配線はスライドプレート６前端下面の導電板７と対応する凹陥部８奥端の案内溝９ｃ内の接続端子１０との圧接により完了するのである。
【００２２】
【発明の効果】
本発明の電子弦楽器は上述のようにしてなり、音色の変更等のためにピックアップを交換する場合に、張設している弦を取り外したり、種々の部品を取り外す必要がなく、２分割されたボデーを開いて、ピックアップを取付けたユニットを抜き差しするだけで、誰でも簡単に交換することができ、専門の技術者に依頼する必要もないのである。
【００２３】
しかも、本発明によれば、ピックアップユニットをボデーに差し込み装着するだけで、ピックアップの配線が完了し、従来のようにハンダ付け配線の必要もなくなるので、極めて短時間にピックアップ交換を行うことができる等の利点を有する。
【図面の簡単な説明】
【図１】本発明に係る電子弦楽器の２分割のボデーを開いた状態を示す斜視図である。
【図２】ピックアップユニットを交換のため脱着している状態を示す斜視図である。
【図３】ピックアップユニットを下方から見た斜視図である。
【図４】ピックアップユニットとボデー側の接続端子との接続状態を示す断面図である。
【図５】ピックアップの交換が終了してボデーを閉じた状態を示す斜視図である。
【符号の説明】
１−ボデー
２−弦
３−蝶番
４−締め金具
５−ピックアップ
６−スライドプレート
７−導電板
８−凹陥部
９−案内溝
１０−接続端子
１１−ピックアップ選択スイッチ
１２−音量調整用つまみ
１３−ジャック
１４−ピックアップユニット
１５−化粧板
１６‐ネック
【図１】
2004163717.tif 000003
【図２】
2004163717.tif 000004
【図３】
2004163717.tif 000005
【図４】
2004163717.tif 000006
【図５】
2004163717.tif 000007